(57)【要約】【課題】通知を有効に活用させる情報通知装置および情報通知方法を提供すること。【解決手段】実施形態に係る情報通知装置は、判定部と、通知部とを備える。判定部は、利用者への行動要請条件が成立したか否かを判定する。通知部は、行動要請条件が成立した場合に、複数のエージェントによる会話形式の行動要請関連情報の通知を行うと共に、利用者への行動を促すための情報である行動要請情報を通知する。【選択図】図１
2019139514.tif 000002
【特許請求の範囲】
【請求項１】
利用者への行動要請条件が成立したか否かを判定する判定部と、
前記行動要請条件が成立した場合に、複数のエージェントによる会話形式の行動要請関連情報の通知を行うと共に、前記利用者への行動を促すための情報である行動要請情報を通知する通知部と
を備えることを特徴とする情報通知装置。
【請求項２】
前記通知部は、
前記エージェント毎に前記会話における役割が異なる前記行動要請関連情報を通知する
ことを特徴とする請求項１に記載の情報通知装置。
【請求項３】
前記通知部は、
第１のエージェントによる第１の行動要請関連情報の通知を行った後に、第２のエージェントによる前記第１の行動要請関連情報に対する評価を含む第２の行動要請関連情報の通知を行う
ことを特徴とする請求項１または２に記載の情報通知装置。
【請求項４】
前記行動要請関連情報は、前記行動要請情報に対して、同等の意味を有し、表現が異なる通知内容の情報を含む
ことを特徴とする請求項１〜３のいずれか一つに記載の情報通知装置。
【請求項５】
前記通知部は、
前記行動要請情報に対する前記利用者の応答に基づいて前記複数のエージェントによる事後情報を通知する
ことを特徴とする請求項１〜４のいずれか一つに記載の情報通知装置。
【請求項６】
前記通知部は、
前記行動要請情報に対する前記利用者の応答に同調する内容の事後情報を通知する
ことを特徴とする請求項１〜５のいずれか一つに記載の情報通知装置。
【請求項７】
前記通知部は、
前記行動要請情報に対する前記利用者の応答が、前記行動要請情報に対して逸脱する応答である場合、前記複数のエージェントにより前記行動要請情報に対する行動要請を保留する事後情報を通知する
ことを特徴とする請求項１〜６のいずれか一つに記載の情報通知装置。
【請求項８】
前記通知部は、
前記エージェント毎に出力するスピーカーを設定して音声通知を行う
ことを特徴とする請求項１〜７のいずれか一つに記載の情報通知装置。
【請求項９】
前記通知部は、
前記エージェント毎に異なる音質で音声通知を行う
ことを特徴とする請求項１〜８のいずれか一つに記載の情報通知装置。
【請求項１０】
利用者への行動要請条件が成立したか否かを判定する判定工程と、
前記行動要請条件が成立した場合に、複数のエージェントによる会話形式の行動要請関連情報の通知を行うと共に、前記利用者への行動を促すための情報である行動要請情報を通知する通知工程と
を含むことを特徴とする情報通知方法。
【発明の詳細な説明】
【技術分野】
【０００１】
開示の実施形態は、情報通知装置および情報通知方法に関する。
【背景技術】
【０００２】
従来、擬人化されたエージェント毎に通信情報に対する担当分野を設定し、担当分野に応じて通信情報を通知するエージェントを変更する情報通知装置が知られている（例えば、特許文献１参照）。
【先行技術文献】
【特許文献】
【０００３】
【特許文献１】特開２００１−５６２２５号公報
【発明の概要】
【発明が解決しようとする課題】
【０００４】
しかしながら、上記情報通知装置では、例えば、担当分野の通信情報を通知する場合に、単一のエージェントによって通知情報を通知するため、利用者に押し付け感を与えるおそれがあり、通知を有効に活用できないおそれがある。
【０００５】
実施形態の一態様は、上記に鑑みてなされたものであって、通知を有効に活用させる情報通知装置および情報通知方法を提供することを目的とする。
【課題を解決するための手段】
【０００６】
実施形態の一態様に係る情報通知装置は、判定部と、通知部とを備える。判定部は、利用者への行動要請条件が成立したか否かを判定する。通知部は、行動要請条件が成立した場合に、複数のエージェントによる会話形式の行動要請関連情報の通知を行うと共に、利用者への行動を促すための情報である行動要請情報を通知する。
【発明の効果】
【０００７】
実施形態の一態様によれば、通知を有効に活用させることができる。
【図面の簡単な説明】
【０００８】
【図１】図１は、実施形態に係る情報通知方法の概要を説明する図である。
【図２】図２は、ナビゲーションシステムの概略を説明するブロック図である。
【図３】図３は、行動要請情報通知制御（その１）を説明するフローチャートである。
【図４】図４は、音声通知の一例を示す図である。
【図５】図５は、音声通知の一例を示す図である。
【図６】図６は、行動要請情報通知制御（その２）を説明するフローチャートである。
【図７】図７は、音声通知の一例を示す図である。
【図８】図８は、音声通知の一例を示す図である。
【図９】図９は、音声通知の一例を示す図である。
【図１０】図１０は、音声通知の一例を示す図である。
【図１１】図１１は、音声通知の一例を示す図である。
【図１２】図１２は、音声通知の一例を示す図である。
【発明を実施するための形態】
【０００９】
以下、添付図面を参照して、本願の開示する情報通知装置および情報通知方法を説明する。なお、以下に示す実施形態によりこの発明が限定されるものではない。
【００１０】
まず、実施形態に係る情報通知方法の概要について図１を参照し説明する。図１は、実施形態に係る情報通知方法の概要を説明する図である。
【００１１】
ここでは、情報通知方法により情報通知を行う情報通知装置として、車両５０に搭載されるナビゲーションシステム１を一例として説明するが、これに限られることはない。例えば、情報通知装置は、携帯電話などの情報処理端末であってもよい。
【００１２】
ナビゲーションシステム１は、利用者であるドライバへの行動要請情報の通知を行うための条件（以下、「行動要請条件」という。）が成立すると（Ｓ１）、複数のエージェントによる会話形式の行動要請関連情報を通知すると共に、ドライバに行動要請情報を通知する。例えば、ナビゲーションシステム１は、行動要請条件が成立すると、行動要請関連情報を通知する（Ｓ２）。そして、ナビゲーションシステム１は、行動要請関連情報を通知した後に、ドライバに行動要請情報を通知する（Ｓ３）。
【００１３】
行動要請条件は、予め設定されており、ドライバに注意喚起などを促すための条件である。行動要請条件は、例えば、車両５０が走行している道路の前方に、ヒヤリハットが生じた注意ポイントがあり、車両５０が注意ポイントよりも所定距離手前に到達した場合に成立する。所定距離は、予め設定された値である。
【００１４】
行動要請情報は、ドライバに要請する行動内容を示す情報である。すなわち、行動要請情報は、ドライバに行動を起こさせるための情報である。行動要請情報は、例えば、注意ポイントに対してドライバに注意を喚起させるために通知される情報である。
【００１５】
行動要請関連情報は、ドライバへの行動要請情報に関して提供される情報である。行動要請関連情報は、ドライバに押し付け感を与えず、ドライバが行動要請情報に興味を示し易くなる情報であり、ドライバに継続的なシステム利用を促すための情報である。行動要請関連情報は、例えば、注意ポイントに対して、ドライバにより注意を喚起させるために通知される情報である。
【００１６】
行動要請関連情報のうち少なくとも一つは、行動要請情報に対して、同等の意味を有し、かつ表現が異なる通知内容の情報であってもよい。すなわち、行動要請関連情報は、行動要請情報に対して、同等の意味を有し、かつ表現が異なる通知内容の情報を含んでもよい。
【００１７】
行動要請関連情報、および行動要請情報の通知は、バランス理論に基づいて行われる。バランス理論とは、対人関係において三者以上の存在がある場合に、三者間の認知関係のバランスを保とうとする人間の心理状態に関する理論である。
【００１８】
エージェントは、ナビゲーションシステム１における仮想人物である。例えば、複数のエージェントのうち、エージェントＡは、女性の音質で通知を行う仮想人物であり、エージェントＢは、男性の音質で通知を行う仮想人物である。すなわち、ナビゲーションシステム１は、エージェント毎に異なる音質で音声通知を行う。
【００１９】
また、エージェントは、エージェント毎に会話形式の通知において異なる役割を有している。例えば、エージェントＡは、会話形式の音声通知において行動を計画する役割を有する。エージェントＢは、会話形式の音声通知において行動を提案する役割を有する。
【００２０】
例えば、過去に飛び出しによるヒヤリハットが発生した注意ポイントよりも所定距離である５００ｍ手前の地点に車両５０が到達し、行動要請条件が成立すると、ナビゲーションシステム１は、まず、エージェントＡにより、「５００ｍ先、飛び出しに注意して走行してください。」と音声通知を行う（Ｓ２−１）。なお、音声通知は、運転席に対して左側に設置されたスピーカー３０Ａと、運転席に対して右側に設置されたスピーカー３０Ｂを介して行われる。
【００２１】
次に、ナビゲーションシステム１は、エージェントＢにより、「早めに注意だね。」と音声通知を行う（Ｓ２−２）。
【００２２】
そして、ナビゲーションシステム１は、エージェントＡにより、「ドライバさん、前方、ご注意ください。」と音声通知を行う（Ｓ３）。
【００２３】
このように、ナビゲーションシステム１は、エージェントＡおよびエージェントＢによる会話形式の行動要請関連情報の通知として、「５００ｍ先、飛び出しに注意して走行してください。」および「早めに注意だね。」と音声通知を行う。そして、その後に、ナビゲーションシステム１は、ドライバへの行動要請情報の通知として、「ドライバさん、前方、ご注意ください。」と音声通知を行う。これにより、例えば、注意ポイントの通知に対する押し付け感をドライバに与えることを抑制し、注意ポイントに対するドライバの注意力を向上させることができる。そのため、ナビゲーションシステム１は、ドライバに行動要請情報の通知を有効に活用させることができる。また、ドライバによるシステムの継続的な利用を促すことができる。
【００２４】
なお、行動要請情報は、上記した注意ポイントに限定されず、渋滞情報や、車内情報や、店舗情報などが含まれる。車内情報は、車内の温度に関する情報などが含まれる。
【００２５】
また、行動要請情報は、直接的および間接的な指示、推奨、質問などの情報を含む。直接的および間接的な指示の行動要請情報は、例えば、「飛び出し多発地点です。」や、「ドライバさん、速度を落としましょう。」と通知する情報である。推奨の行動要請情報は、例えば、「迂回が好ましいでしょう。」や、「走行車線が楽でしょう。」と通知する情報である。また、質問の行動要請情報は、例えば、「迂回しませんか？」や、「暑いですか？」と通知する情報である。
【００２６】
次に、ナビゲーションシステム１について、図２を参照し説明する。図２は、ナビゲーションシステム１の概略を説明するブロック図である。
【００２７】
ナビゲーションシステム１は、入力部２と、出力部３と、記憶部４と、制御部５と、を備える。
【００２８】
入力部２には、ＧＰＳ（Global  Positioning  System）２０から車両５０（図１参照）の現在位置に関する信号が入力される。また、入力部２には、外部通信装置２１から行動要請情報に関する情報の信号が入力される。また、入力部２には、マイク２２を介してドライバの発話に関する信号が入力される。
【００２９】
出力部３は、行動要請関連情報や、行動要請情報に関する音声通知信号をスピーカー３０に出力する。これにより、スピーカー３０から行動要請関連情報や、行動要請情報や、事後情報に関する音声通知が行われる。
【００３０】
事後情報は、行動要請情報を通知した後のドライバの応答に対して通知される情報である。事後情報の通知は、行動要請関連情報および行動要請情報と同様に、バランス理論に基づいて行われてもよい。
【００３１】
記憶部４は、例えば、ＲＡＭ（Random  Access  Memory）、ＲＯＭ（Read  Only  Memory）、もしくはフラッシュメモリのような半導体メモリ素子、ハードディスク、または光ディスクのような記憶デバイスである。記憶部４は、行動要請関連情報や、行動要請情報や、事後情報に関するデータを記憶する。
【００３２】
制御部５は、例えば、ＣＰＵ（Central  Processing  Unit）、ＲＯＭ（Read  Only  Memory）、ＲＡＭ、入出力ポートなどを有するマイクロコンピュータや各種の回路を含む。なお、制御部５は、一部または全部がＡＳＩＣ（Application  Specific  Integrated  Circuit）やＦＰＧＡ（Field  Programmable  Gate  Array）等のハードウェアで構成されてもよい。
【００３３】
制御部５は、ＲＯＭに記憶されたプログラム（図示略）をＲＡＭを作業領域として使用して実行することにより機能する複数の処理部を備える。具体的には、制御部５は、取得部１０と、判定部１１と、生成部１２と、通知部１３とを備える。制御部５は、複数の制御部によって構成されてもよく、各処理部は複数の処理部によって構成されてもよく、統合されて構成されてもよい。
【００３４】
取得部１０は、入力部２を介して、車両５０の現在位置に関する情報や、行動要請情報に関する情報や、ドライバの発話に関する情報、すなわち発話内容を取得する。なお、取得された行動要請情報に関する情報は、記憶部４に記憶される。
【００３５】
判定部１１は、行動要請条件が成立したか否かを判定する。例えば、行動要請条件は、上記した注意ポイントに関する条件の他に、車両５０が走行している道路の前方で渋滞が発生しており、渋滞を迂回するルートがある場合に成立する。また、例えば、行動要請条件は、車両５０の所定範囲以内に有名な店舗などが存在する場合に成立する。また、例えば、行動要請条件は、車内の温度が第１所定温度以下の場合や、車内の温度が第１所定温度よりも高い第２所定温度以上の場合に成立する。所定範囲、第１所定温度および第２所定温度は、それぞれ予め設定された値である。
【００３６】
生成部１２は、判定部１１による行動要請条件が成立した場合に、成立した行動要請条件に応じた行動要請関連情報、および行動要請情報の音声信号を生成する。生成部１２は、複数のエージェントによる会話形式の行動要請関連情報の音声信号を生成する。
【００３７】
生成部１２は、或るエージェントによる第１の行動要請関連情報に対して、異なるエージェントによる第２の行動要請関連情報が通知されるように、複数のエージェントによる行動要請関連情報の音声信号を生成する。
【００３８】
第２の行動要請関連情報は、第１の行動要請関連情報に対する評価を含んでもよい。例えば、第２の行動要請関連情報は、第１の行動要請関連情報に対して、反発した評価を含む情報や、同調した評価などを含む情報である。
【００３９】
また、生成部１２は、行動要請情報を通知した後に、ドライバの応答に基づいて事後情報の音声信号を生成する。事後情報の音声信号は、成立した行動要請条件の種類に応じて生成される。すなわち、生成部１２は、成立した行動要請条件が事後情報を通知する条件である場合に、事後情報の音声信号を生成する。
【００４０】
通知部１３は、生成部１２によって生成された音声信号を、出力部３を介してスピーカー３０から出力させて、音声通知を行う。
【００４１】
ナビゲーションシステム１は、成立した行動要請条件が事後情報を通知する条件である場合には、行動要請情報を通知した後に、ドライバの応答に基づいて事後情報を通知する。そこで、以下では、２つの行動要請情報通知制御（その１、その２）について、説明を行う。
【００４２】
行動要請情報通知制御（その１）は、行動要請情報を通知することで終了する制御である。行動要請情報通知制御（その２）は、行動要請情報を通知した後に、ドライバの応答に基づいて事後情報を通知する制御である。２つの行動要請通知制御（その１、その２）は、成立する行動要請条件に基づいて選択されて実行される。
【００４３】
まず、行動要請情報通知制御（その１）について図３を参照し説明する。図３は、行動要請情報通知制御（その１）を説明するフローチャートである。
【００４４】
ナビゲーションシステム１は、行動要請条件が成立したか否かを判定する（Ｓ１００）。ナビゲーションシステム１は、行動要請条件が成立した場合には（Ｓ１００：Ｙｅｓ）、複数のエージェントによる会話形式の行動要請関連情報を通知する（Ｓ１０１）。
【００４５】
そして、ナビゲーションシステム１は、行動要請関連情報を通知した後に、行動要請情報を通知する（Ｓ１０２）。
【００４６】
ナビゲーションシステム１は、行動要請条件が成立していない場合には（Ｓ１００：Ｎｏ）、今回の処理を終了する。
【００４７】
ナビゲーションシステム１は、例えば、過去に飛び出しによるヒヤリハットが発生した注意ポイントよりも所定距離手前に車両５０が到達し、行動要請条件が成立すると、図４に示すように、エージェントＡにより、「５００ｍ先、飛び出しに注意して走行してください。」と音声通知を行う。図４は、音声通知の一例を示す図である。
【００４８】
次に、ナビゲーションシステム１は、エージェントＢにより、「まじめだなぁ。」と音声通知を行う。さらに、ナビゲーションシステム１は、エージェントＡにより、「早めの注意が大事です。」と音声通知を行う。さらに、ナビゲーションシステム１は、エージェントＢにより、「そうだよね。」と音声通知を行う。
【００４９】
そして、ナビゲーションシステム１は、エージェントＡにより、「ドライバさん、前方、ご注意ください。」と音声通知を行う。
【００５０】
このように、ナビゲーションシステム１は、エージェントＡおよびエージェントＢによる会話形式の行動要請関連情報の通知として、「５００ｍ先、飛び出しに注意して走行してください。」〜「そうだよね。」と音声通知を行う。そして、その後に、ナビゲーションシステム１は、行動要請情報の通知として「ドライバさん、前方、ご注意ください。」と音声通知を行う。「５００ｍ先、飛び出しに注意して走行してください。」の通知は、「ドライバさん、前方、ご注意ください。」に対して、同等の意味を有し、かつ表現が異なる通知である。
【００５１】
また、ナビゲーションシステム１は、例えば、過去に飛び出しによるヒヤリハットが発生した注意ポイントよりも所定距離手前に車両５０が到達し、行動要請条件が成立すると、図５に示すように、エージェントＢにより、「あ、そういえば、この先は注意地点だ。」と音声通知を行う。図５は、音声通知の一例を示す図である。
【００５２】
次に、ナビゲーションシステム１は、エージェントＡにより、「５００ｍ先、飛び出しに注意して走行してください。」と音声通知を行う。次に、ナビゲーションシステム１は、エージェントＢにより、「なんだ、まだ先かぁ。」と音声通知を行う。次に、ナビゲーションシステム１は、エージェントＡにより、「早めに慎重な運転をしないといけません。」と音声通知を行う。次に、ナビゲーションシステム１は、エージェントＢにより、「そうだよね。」と音声通知を行う。
【００５３】
そして、ナビゲーションシステム１は、エージェントＡにより、「ドライバさん、前方、ご注意ください。」と音声通知を行う。
【００５４】
このように、ナビゲーションシステム１は、エージェントＡおよびエージェントＢによる会話形式の行動要請関連情報の通知として、「あ、そういえば、この先は注意地点だ。」〜「そうだよね。」と音声通知を行い、その後に、行動要請情報の通知として、「ドライバさん、前方、ご注意ください。」と音声通知を行う。
【００５５】
なお、エージェントは、エージェント毎に性格を有してもよい。例えば、上記一例では、エージェントＡは、慎重な性格であり、エージェントＢは、楽観的な性格である。このように、エージェント毎に性格を有することで、より自然な会話形式による音声通知を行うことができる。
【００５６】
このような会話形式の音声通知では、エージェントＡによる「５００ｍ先、飛び出しに注意して走行してください。」の通知に対して、反発した評価である「まじめだなぁ。」や「なんだ、まだ先かぁ。」の通知がエージェントＢにより行われる。そして、その後に、エージェントＢがエージェントＡに説得された通知が行われる。なお、エージェントＡに対しエージェントＢが同調する通知が行われてもよい。
【００５７】
バランス理論に基づいた会話形式の音声通知がエージェントＡおよびエージェントＢにより行われることで、ドライバは、行動要請情報に対して押し付け感を受けることがなく、説得性や納得性を感じることができ、行動要請情報を受け入れ易くなる。
【００５８】
次に、行動要請情報通知制御（その２）について図６を参照し説明する。図６は、行動要請情報通知制御（その２）を説明するフローチャートである。
【００５９】
ナビゲーションシステム１は、行動要請条件が成立したか否かを判定する（Ｓ２００）。ナビゲーションシステム１は、行動要請条件が成立した場合には（Ｓ２００：Ｙｅｓ）、複数のエージェントによる会話形式の行動要請関連情報を通知する（Ｓ２０１）。
【００６０】
そして、ナビゲーションシステム１は、行動要請関連情報を通知した後に、行動要請情報を通知する（Ｓ２０２）。
【００６１】
ナビゲーションシステム１は、行動要請情報に対するドライバの応答が肯定的な応答であるか否かを判定する（Ｓ２０３）。
【００６２】
ナビゲーションシステム１は、ドライバの応答が肯定的な応答である場合には（Ｓ２０３：Ｙｅｓ）、肯定的な応答に対する事後情報を通知する（Ｓ２０４）。ナビゲーションシステム１は、ドライバの応答が否定的な応答である場合には（Ｓ２０３：Ｎｏ）、否定的な応答に対する事後情報を通知する（Ｓ２０５）。
【００６３】
ナビゲーションシステム１は、行動要請条件が成立していない場合には（Ｓ２００：Ｎｏ）、今回の処理を終了する。
【００６４】
なお、２つの行動要請情報通知制御（その１およびその２）が一つの行動要請情報通知制御とされ、ナビゲーションシステム１は、行動要請条件に応じて処理を振り分けてもよい。
【００６５】
ナビゲーションシステム１は、例えば、車両５０が走行している道路の前方で渋滞が発生しており、渋滞を迂回するルートがあり、行動要請条件が成立すると、図７に示すように、エージェントＢにより、「あ、１０ｋｍ先、渋滞なんだね。」と音声通知を行う。図７は、音声通知の一例を示す図である。
【００６６】
次に、ナビゲーションシステム１は、エージェントＡにより、「迂回ルートがありますよ。」と音声通知を行う。次に、ナビゲーションシステム１は、エージェントＢにより、「でも、これだとあまりかわらないんじゃない？」と音声通知を行う。
【００６７】
次に、ナビゲーションシステム１は、エージェントＡにより、「到着予測時刻が５分早くなります。」と音声通知を行う。
【００６８】
そして、ナビゲーションシステム１は、エージェントＢにより、「ドライバさん、迂回しますか？」と音声通知を行う。
【００６９】
これに対し、ドライバが肯定的な応答として、「はい。」と返事をすると、ナビゲーションシステム１は、エージェントＡにより、「それでは、案内します。」と音声通知を行う。
【００７０】
一方、ドライバが否定的は応答として、「いいえ。」と返事をすると、ナビゲーションシステム１は、エージェントＢにより、「焦らずに行きましょう。」と音声通知を行う。
【００７１】
このように、ナビゲーションシステム１は、エージェントＡおよびエージェントＢによる会話形式の行動要請関連情報の通知として、「あ、１０ｋｍ先、渋滞なんだね。」〜「到着予測時刻が５分早くなります。」と音声通知を行い、その後に、行動要請情報の通知として、「ドライバさん、迂回しますか？」と音声通知を行う。
【００７２】
そして、ナビゲーションシステム１は、ドライバの応答に応じた事後情報の通知として、「それでは、ご案内します。」または「焦らずに行きましょう。」と音声通知を行う。
【００７３】
このような会話形式の音声通知では、エージェントＡとエージェントＢとが反対意見をいうことで、ドライバがどちらの案を選択しても、ドライバに煩わしさを与えることを抑制することができる。
【００７４】
また、ナビゲーションシステム１は、車両５０の所定範囲以内に有名な店舗が存在し、行動要請条件が成立すると、図８に示すように、エージェントＢにより、「あ、そういえば、３ｋｍぐらい先にケーキ屋さんがあるんだけど。」と音声通知を行う。図８は、音声通知の一例を示す図である。
【００７５】
次に、ナビゲーションシステム１は、エージェントＡにより、「お薦めですか？」と音声通知を行う。次に、ナビゲーションシステム１は、エージェントＢにより、「評価サイトで星４つ付いているよ。」と音声通知を行う。次に、ナビゲーションシステム１は、「そうなんですね。」と音声通知を行う。
【００７６】
そして、ナビゲーションシステム１は、エージェントＡにより、「ドライバさん、行ってみますか？」と音声通知を行う。
【００７７】
これに対し、ドライバが肯定的な応答として、「はい。」と返事をすると、ナビゲーションシステム１は、エージェントＡにより、「それでは、ご案内します。」と音声通知を行う。
【００７８】
一方、ドライバが否定的な応答として、「いいえ。」と返事をすると、ナビゲーションシステム１は、エージェントＢにより、「今日はそんな気分じゃないんだね。」と音声通知を行う。次に、ナビゲーションシステム１は、エージェントＡにより、「また、次の機会にご案内します。」と音声通知を行う。
【００７９】
このように、ナビゲーションシステム１は、エージェントＡおよびエージェントＢによる会話形式の行動要請関連情報の通知として、「あ、そういえば、３ｋｍぐらい先にケーキ屋さんがあるんだけど。」〜「そうなんですね。」と音声通知を行い、その後に、行動要請情報の通知として、「ドライバさん、行ってみますか？」と音声通知を行う。
【００８０】
そして、ナビゲーションシステム１は、ドライバの応答に応じた事後情報の通知として、「それでは、ご案内します。」と音声通知を行う。また、ナビゲーションシステム１は、ドライバの応答に応じた事後情報の通知として、エージェントＢによる「今日はそんな気分じゃないんだね。」およびエージェントＡによる「また、次の機会にご案内します。」と音声通知を行う。すなわち、ドライバの応答に基づいて複数のエージェントによる事後情報の通知を行う。
【００８１】
このような会話形式の音声通知では、ドライバの否定的な応答に対して、同調する内容の事後情報が通知される。これにより、ドライバに不快感を与えることを抑制することができる。
【００８２】
なお、行動要請情報通知制御（その２）では、ドライバへ複数回の質問を行い、質問に対するドライバの応答に応じて事後情報が通知されてもよい。
【００８３】
ナビゲーションシステム１は、例えば、車内の温度が第１所定温度以下であり、行動要請条件が成立すると、図９に示すように、エージェントＢにより、「あれ？ちょっと寒くない？」と音声通知を行う。図９は、音声通知の一例を示す図である。
【００８４】
次に、ナビゲーションシステム１は、エージェントＡにより、「そうですか？」と音声通知を行う。次に、ナビゲーションシステム１は、エージェントＢにより、「ドライバさん、寒くないですか？」と音声通知を行う。
【００８５】
これに対し、ドライバが否定的な応答として、「いいえ。」と返事をすると、ナビゲーションシステム１は、エージェントＡにより、「適温ですよね。」と音声通知を行う。
【００８６】
一方、ドライバが肯定的な応答として、「はい。」と返事をすると、ナビゲーションシステム１は、エージェントＢにより、「シートヒーターを使えば暖かいですよ。」と音声通知を行う。次に、ナビゲーションシステム１は、エージェントＡにより、「使い方はわかりますか？」と音声通知を行う。
【００８７】
これに対し、ドライバが肯定的な応答として、「はい。」と返事をすると、ナビゲーションシステム１は、エージェントＢにより、「ほんと、便利だよね。」と音声通知を行う。
【００８８】
一方、ドライバが否定的な応答として、「いいえ。」と返事をすると、ナビゲーションシステム１は、エージェントＡにより、「エアコン操舵ダイヤルの下にスイッチがあります。」と音声通知を行う。
【００８９】
このように、ナビゲーションシステム１は、エージェントＡおよびエージェントＢによる会話形式の行動要請関連情報の通知として、「あれ？ちょっと寒くない？」および「そうですか？」と音声通知を行い、その後に、行動要請情報の通知として「ドライバさん、寒くないですか？」と音声通知を行う。「あれ？ちょっと寒くない？」の通知は、「ドライバさん、寒くないですか？」に対して、同等の意味を有し、かつ表現が異なる通知である。
【００９０】
そして、ナビゲーションシステム１は、１回目のドライバの応答に応じた事後情報の通知として、「適温ですね。」と音声通知を行い、または「シートヒーターを使えば暖かいですよ。」および「使い方はわかりますか？」と音声通知を行う。
【００９１】
さらに、ナビゲーションシステム１は、２回目のドライバの応答に応じた事後情報の通知として、「ほんと、便利だよね。」、または「エアコン操舵ダイヤルの下にスイッチがあります。」と音声通知を行う。
【００９２】
このような会話形式の音声通知では、エージェントＡとエージェントＢとが反対意見をいうことで、ドライバがどちらの案を選択しても、ドライバに煩わしさを与えることを抑制することができる。
【００９３】
また、ドライバの応答に対して、同調する内容の事後情報を通知することで、ナビゲーションシステム１に対するドライバの好感度を高めることができる。
【００９４】
ナビゲーションシステム１は、複数のエージェントによる会話形式の行動要請関連情報をドライバに通知した後に、ドライバに行動要請情報を通知する。これにより、ナビゲーションシステム１は、ドライバに押し付け感を与えることを抑制し、行動要請情報の通知に対する説得性や納得性をドライバに与えることができる。そのため、ナビゲーションシステム１は、ドライバに行動要請情報の通知を有効に活用させることができる。
【００９５】
また、ドライバは、行動要請情報の内容を聞き入れ易くなり、ナビゲーションシステム１は、ナビゲーションシステム１に対するドライバの継続的な利用性を向上させることができる。また、ナビゲーションシステム１は、行動要請情報に対するドライバの理解を容易にし、行動要請情報に対するドライバの行動を早くすることができる。
【００９６】
ナビゲーションシステム１は、エージェントＡおよびエージェントＢで会話形式の通知において役割が異なる行動要請関連情報を通知する。これにより、ナビゲーションシステム１は、エージェントＡおよびエージェントＢによる行動要請関連情報の通知を、より自然な会話形式にすることができる。
【００９７】
ナビゲーションシステム１は、行動要請情報に対して、同等の意味を有し、表現が異なる内容の行動要請関連情報を通知する。これにより、ナビゲーションシステム１は、ドライバに必要な情報を迅速に通知しつつ、行動要請情報の通知に対する説得性や納得性をドライバに与えることができる。
【００９８】
ナビゲーションシステム１は、例えば、エージェントＡによる行動要請関連情報の通知を行った後に、エージェントＡによる行動要請関連情報に対する評価を含む行動要請関連情報をエージェントＢの通知により行う。これにより、ナビゲーションシステム１は、エージェントＡおよびエージェントＢによる行動要請関連情報の通知を、より自然な会話形式にすることができる。
【００９９】
ナビゲーションシステム１は、行動要請情報に対するドライバの応答に基づいて、例えば、エージェントＡおよびエージェントＢにより、事後情報を通知する。これにより、ナビゲーションシステム１は、ナビゲーションシステム１に対するドライバの好感度を高め、ナビゲーションシステム１に対するドライバの継続的な利用性を向上させることができる。
【０１００】
ナビゲーションシステム１は、ドライバの応答に同調する内容の事後情報を通知する。これにより、例えば、ドライバに対して不要な行動要請情報が通知された場合であっても、ナビゲーションシステム１は、ドライバに不快感を与えることを抑制し、ナビゲーションシステム１に対するドライバの継続的な利用性を向上させることができる。
【０１０１】
ナビゲーションシステム１は、エージェントＡとエージェントＢとで異なる音質の音声通知を行う。これにより、ナビゲーションシステム１は、エージェントＡおよびエージェントＢによる行動要請関連情報の通知を、より自然な会話形式にすることができる。また、ナビゲーションシステム１は、行動要請情報に対するドライバの理解を容易にし、行動要請情報に対するドライバの行動を早くすることができる。
【０１０２】
変形例に係るナビゲーションシステム１は、エージェント毎に出力するスピーカー３０を設定し、エージェント毎に異なるスピーカー３０から音声通知を行ってもよい。例えば、変形例に係るナビゲーションシステム１は、エージェントＡによる音声通知を運転席から見て左側のスピーカー３０Ａ（図１参照）から行い、エージェントＢによる音声通知を運転席から見て右側のスピーカー３０Ｂ（図１参照）から行う。これにより、変形例に係るナビゲーションシステム１は、ドライバに、エージェントＡおよびエージェントＢによる会話形式の音声通知をより認識させることができる。そのため、変形例に係るナビゲーションシステム１は、行動要請情報に対し、ドライバにより興味を生じさせることができ、行動要請情報の通知を有効に活用させることができる。
【０１０３】
変形例に係るナビゲーションシステム１は、例えば、図４や図５に示す音声通知において、注意ポイントを車両５０が通過した後に、エージェントＢにより、「リラックスして行こうか。」などと音声通知を行ってもよい。これにより、ナビゲーションシステム１は、ナビゲーションシステム１に対するドライバの好感度を高め、ナビゲーションシステム１に対するドライバの継続的な利用性を向上させることができる。
【０１０４】
変形例に係るナビゲーションシステム１は、行動要請条件が成立した場合に、行動要請情報を通知した後に、行動要請関連情報を通知する。例えば、変形例に係るナビゲーションシステム１は、ヒヤリハットが発生した注意ポイントよりも所定距離手前に車両５０が到達し、行動要請条件が成立すると、図１０に示すように、エージェントＡにより、注意を喚起する行動要請情報として「飛び出し多発地点です！」と音声通知を行う。図１０は、音声通知の一例を示す図である。
【０１０５】
次に、変形例に係るナビゲーションシステム１は、注意ポイントを通過すると、エージェントＡにより、行動要請情報に対する説明である行動要請関連情報として「飛び出し多発地点では、前方を注意する意識が大事です。」と音声通知を行う。
【０１０６】
さらに、変形例に係るナビゲーションシステム１は、エージェントＢにより、納得や同意する事後情報として「そうだね。」と音声通知を行う。
【０１０７】
なお、変形例に係るナビゲーションシステム１は、行動要請関連情報、行動要請情報、行動要請関連情報の順に音声通知を行ってもよい。
【０１０８】
これにより、変形例に係るナビゲーションシステム１は、行動要請情報の通知に対し、ドライバに押し付け感を与えることを抑制し、行動要請情報の通知に対する説得性や納得性をドライバに与えることができる。そのため、ナビゲーションシステム１は、ドライバに行動要請情報の通知を有効に活用させることができる。
【０１０９】
変形例に係るナビゲーションシステム１は、ドライバへの質問に対し、ドライバの応答が逸脱した応答である場合や、ナビゲーションシステム１による音声認識で誤認識が生じた場合などに、適切な応答となるように会話形式の事後情報を通知する。
【０１１０】
例えば、図９と同様に、変形例に係るナビゲーションシステム１は、車内の温度が第１所定温度以下であり、行動要請条件が成立すると、図１１に示すように、エージェントＢにより、「あれ？ちょっと寒くない？」と音声通知を行う。図１１は、音声通知の一例を示す図である。
【０１１１】
変形例に係るナビゲーションシステム１は、エージェントＡおよびＢにより「そうですか？」および「ドライバさん、寒くないですか？」と音声通知を行う。これに対して、ドライバが「少し眠い。」と返事をした場合には、エージェントＡにより「私、そうでもないかもと思いました。」と音声通知を行い、エージェントＢにより「そうですか、では、寒くなったら、言ってください。」と音声通知を行う。
【０１１２】
このように、許可や同意を求める行動要請情報の通知に対して、ドライバが、逸脱した応答を行い、逸脱した応答に対する対処方法が不明である場合には、変形例に係るナビゲーションシステム１は、エージェントＡおよびＢによって行動要請を保留する事後情報を通知する。
【０１１３】
図１１に示す一例では、変形例に係るナビゲーションシステム１は、ドライバの応答に対して、エージェントＡにより反対の意見を述べる音声通知を行うことで、エージェントＡおよびＢによる会話形式の通知を継続し、ドライバへの行動要請を保留する。
【０１１４】
これにより、変形例に係るナビゲーションシステム１は、行動要請情報の通知に対してドライバの応答が逸脱し、対処方法が不明である場合であっても、ドライバへの音声通知を継続することができる。そのため、変形例に係るナビゲーションシステム１は、音声通知の中断を抑制することができる。なお、変形例に係るナビゲーションシステム１は、ドライバの応答（音声）を認識できなかった場合や、誤認識した場合にも、上記方法により、ドライバへの音声通知を継続することができる。
【０１１５】
また、変形例に係るナビゲーションシステム１は、動要請情報の通知に対してドライバの応答が逸脱している場合であっても、対処方法が不明ではなく、対処方法がある場合には、エージェントによる会話形式の通知を継続し、ドライバの応答を行動要請情報に適した応答に導いてもよい。例えば、車内の温度が第１所定温度以下であり、行動要請条件が成立すると、図１２に示すように、エージェントＢにより、「あれ？ちょっと寒くない？」と音声通知を行う。図１２は、音声通知の一例を示す図である。なお、ここでは、説明のため図１１と同じ事例（行動要請条件の成立）を一例として用いている。
【０１１６】
変形例に係るナビゲーションシステム１は、エージェントＡおよびＢにより「そうですか？」および「ドライバさん、寒くないですか？」と音声通知を行う。ドライバが「はい。」と返事をした場合には、図９と同様に、変形例に係るナビゲーションシステム１は、エージェントＢにより、「シートヒーターを使えば暖かいですよ。」と音声通知を行い、図９と同様の事後情報を通知する。ドライバが、「いいえ。」と返事をした場合には、図９と同様に、変形例に係るナビゲーションシステム１は、エージェントＡにより、「適温ですよね。」と音声通知を行う。
【０１１７】
これに対し、質問に対して逸脱する応答として、ドライバが「少し眠い。」と返事をする。変形例に係るナビゲーションシステム１は、このような逸脱した応答に対して対処方法がある場合には、エージェントＡにより、「眠気が出始めましたか。」と音声通知を行う。
【０１１８】
そして、変形例に係るナビゲーションシステム１は、エージェントＢにより、「暖かいと眠気が増しやすいですね。」およびエージェントＡにより、「設定温度は変えなくてもいいですか？」と音声通知を行う。
【０１１９】
これに対し、ドライバが「はい。」と返事をした場合には、変形例に係るナビゲーションシステム１は、エージェントＢにより、「シートヒーターを使えば暖かいですよ。」と音声通知を行い、図９と同様の事後情報を通知する。ドライバが、「いいえ。」と返事をした場合には、変形例に係るナビゲーションシステム１は、エージェントＡにより、「適温ですよね。」と音声通知を行う。
【０１２０】
このように、変形例に係るナビゲーションシステム１は、ドライバへの質問に対し、ドライバの応答が逸脱する応答である場合などでも、行動要請情報に適した応答に導くための対処方法がある場合には、会話形式の事後情報を通知することで、ドライバへの音声通知を継続することができる。そのため、変形例に係るナビゲーションシステム１は、音声通知の中断を抑制することができる。また、変形例に係るナビゲーションシステム１は、ドライバに違和感を与えずに、行動要請情報に対するドライバの応答を、行動要請情報に適した応答に導くことができる。従って、変形例に係るナビゲーションシステム１は、ドライバに行動要請情報の通知を有効に活用させることができる。
【０１２１】
変形例に係るナビゲーションシステム１は、ドライバの操作や、行動に関する信号が入力部２に入力される。例えば、変形例に係るナビゲーションシステム１は、スイッチや、タッチパネルや、アクセルペダルや、ブレーキペダルや、シフトレバーなどの操作に関する信号が入力されてもよい。例えば、変形例に係るナビゲーションシステム１は、「ドライバさん、速度を落としましょう。」と行動要請情報の音声通知を行った後に、ブレーキペダルが踏み込まれると、音声通知に対するドライバのブレーキ操作を検出し、「安全運転が大事です。」などと事後情報の音声通知を行う。
【０１２２】
また、変形例に係るナビゲーションシステム１は、カメラにより検知されるドライバの視線に関する信号が入力されてもよい。変形例に係るナビゲーションシステム１は、これらをドライバの返事（応答）として用いてもよい。
【０１２３】
これにより、変形例に係るナビゲーションシステム１は、様々な方法により、ドライバの返事を検知することができる。
【０１２４】
また、変形例に係るナビゲーションシステム１は、行動要請関連情報や、行動要請情報や、事後情報に関する通知として、補助的な通知を行ってもよい。変形例に係るナビゲーションシステム１は、補助的な通知として、例えば、スイッチや、ボタンを点滅させたり、ディスプレイに文字や画像を表示させたりしてもよい。例えば、変形例に係るナビゲーションシステム１は、車内の温度が高い場合に、「ドライバさん、暑くないですか？」と行動要請情報の音声通知を行う場合に、空調調整用のスイッチを点滅させる。
【０１２５】
また、変形例に係るナビゲーションシステム１は、補助的な通知として、例えば、座席を振動させたり、小型のロボットを動作させたりしてもよい。例えば、変形例に係るナビゲーションシステム１は、車内の温度が高い場合に、「ドライバさん、暑くないですか？」と行動要請情報の音声通知を行う場合に、小型のロボットに扇ぐ動作を行わせる。
【０１２６】
これにより、変形例に係るナビゲーションシステム１は、補助的な通知を行うことで、ドライバに通知の内容を容易に理解させ、通知に対する説得性や納得性をドライバに与えることができる。
【０１２７】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【０１２８】
１      ナビゲーションシステム（情報通知装置）
４      記憶部
５      制御部
１０    取得部
１１    判定部
１２    生成部
１３    通知部
３０    スピーカー
５０    車両
【図１】
2019139514.tif 000003
【図２】
2019139514.tif 000004
【図３】
2019139514.tif 000005
【図４】
2019139514.tif 000006
【図５】
2019139514.tif 000007
【図６】
2019139514.tif 000008
【図７】
2019139514.tif 000009
【図８】
2019139514.tif 000010
【図９】
2019139514.tif 000011
【図１０】
2019139514.tif 000012
【図１１】
2019139514.tif 000013
【図１２】
2019139514.tif 000014